(57)【要約】  本発明は、濡れ傘に付着した水滴を集めて排水する傘の水切り装置であって、受け部と、前記受け部の上面に一定の間隔だけ離れるように配されたプレート状の第１脱水部及び第２脱水部と、前記第１脱水部及び第２脱水部の内面に取着される着脱パッドと、前記第１脱水部及び第２脱水部の内面にそれぞれ取着された着脱パッドの間に形成された脱水空間と、前記着脱パッドに上下方向に沿って前記脱水空間に向かって突出した複数の突出部と、を含む傘の水切り装置に関する。  本発明によれば、濡れ傘が脱水空間を通って移動するとき、着脱パッドに突出した突出部と面接触して移動しながら、濡れ傘に加えられる力の違いにより、突出部を通過する濡れ傘から振動が発生し、前記振動により、濡れ傘に付着した水滴が離脱して受け部に円滑に振り落とされ、これにより、濡れ傘に付着した水滴を効率よく取り除くことができ、且つ、水滴の脱水効率を高めることができる。【選択図】図２
2021532324.tif 000002
【特許請求の範囲】
【請求項１】
濡れ傘に付着した水滴を集めて排水する傘の水切り装置であって、
受け部と、
前記受け部の上面に一定の間隔だけ離れるように配されたプレート状の第１脱水部及び第２脱水部と、
前記第１脱水部及び第２脱水部の内面に取着される着脱パッドと、
前記第１脱水部及び第２脱水部の内面にそれぞれ取着された着脱パッドの間に形成された脱水空間と、
前記着脱パッドに上下方向に沿って前記脱水空間に向かって突出した複数の突出部と、を含み、
前記突出部は、前記脱水空間を通って移動する濡れ傘との摩擦を増加させ、前記突出部を通過しながら濡れ傘から発生する振動により、濡れ傘に付着した水滴が振り落とされ易く、これとともに、濡れ傘の通過後に、突出部の振動により、突出部に吸着された水滴が振り落とされ易い、傘の水切り装置。
【請求項２】
前記突出部は、前記着脱パッドから前記脱水空間に向かって進んでいて、折り曲げられて戻される二重に形成される、請求項１に記載の傘の水切り装置。
【請求項３】
前記着脱パッドと突出部とには無数の突起が前記脱水空間に向かって突設され、前記突起には前記突起よりも小さな無数の補助突起が前記脱水空間に向かって突設されることにより、前記濡れ傘の水滴と円滑に接触して濡れ傘から水滴をスムーズに吸着し、これとともに、前記無数の突起と無数の補助突起との相互支持により、前記脱水空間に向かって突出した前記突出部の形状がよく保持されるようにする、請求項１に記載の傘の水切り装置。
【請求項４】
前記脱水空間は、上広下狭の形状に形成されて濡れ傘と着脱パッドとの接触面積が広くなるとともに、濡れ傘が通過し易い、請求項１に記載の傘の水切り装置。
【請求項５】
前記第１脱水部及び第２脱水部の下部に連結されて前記脱水空間の下部を遮蔽する案内部材をさらに含む、請求項１に記載の傘の水切り装置。
【請求項６】
前記突出部は、下部に位置する下部突出部と、上部に位置する上部突出部とを含み、前記下部突出部は、鉛直方向に長尺状に形成され、前記上部突出部は、鉛直方向から傾くように形成され、向かい合う上部突出部は互いに交差するように形成される、請求項１に記載の傘の水切り装置。
【請求項７】
前記突出部の内部に挿入されて突出部の弾性力を増加させる補強部材をさらに含む、請求項２に記載の傘の水切り装置。
【請求項８】
前記補強部材は、シリコン、プラスチック、金属のいずれか一種から形成され、側面には凹凸部が上下方向に長尺状に形成されて、突出部の内部に染み込んだ水滴を流下させ易くする、請求項７に記載の傘の水切り装置。
【請求項９】
前記突起及び補助突起は、ポリエステル（Ｐｏｌｙｅｓｔｅｒ）から作製される、請求項３に記載の傘の水切り装置。
【発明の詳細な説明】
【技術分野】
【０００１】
本発明は、傘の水切り装置に係り、さらに詳しくは、濡れ傘に付着した水滴を容易に取り除く傘の水切り装置に関する。
【背景技術】
【０００２】
一般に、雨を避けるための手段として傘を多く使用している。傘を使用した後にデパート、ディスカウントストア、オフィスビルなどに入る場合、水滴が室内の床に落ちて室内の環境を汚染する要因とされている。また、落ちた水滴は、通行に不便をきたし、床面が滑りやすくなって転倒するなどの危険を招く。
【０００３】
近年、傘袋スタンド（傘ぽん）などが建物などの入り口に配置されて使用されている。しかし、使用済みの傘袋がリサイクルされずにゴミとして捨てられて、リソースが無駄になり、環境汚染にも繋がるという問題がある。また、傘袋スタンドは、高価であり、傘袋を頻繁に交換する必要があり、頻繁な故障で使用に困難がある。
【０００４】
上記の問題を解決するために、本願出願人は、「水滴の叩き落とし装置」を韓国公開特許第１０−２０１８−００３２２１２号公報にて提案している。この従来の技術には、向かい合う第１ボディと第２ボディとの間を通過する濡れ傘が、第１及び第２ボディの複数の突起に接触しながら、水滴が除去される技術が開示されている。
【０００５】
しかし、上記従来の技術は、濡れ傘が第１ボディ及び第２ボディの突起と単純に摩擦されるだけのことで、水滴を円滑に取り除くことができないという問題を有する。
【０００６】
また、第１及び第２ボディの突起が吸着した水滴をそのまま含んでいるため、次の傘の水滴を円滑に取り除くことができないという問題を有する。
【０００７】
さらにまた、水滴の叩き落とし装置に近づくかまたは遠ざかる傘から水滴が地面に多量に落下することで装置の前後のところが汚れてしまうという問題を有する。
【先行技術文献】
【特許文献】
【０００８】
【特許文献１】韓国公開特許第１０−２０１８−００３２２１２号公報
【発明の概要】
【発明が解決しようとする課題】
【０００９】
本発明は、上記問題を解決するために案出されたものであり、その目的は、着脱パッドに突出部を備えることにより、濡れ傘の振動により傘の水滴が振り落とされ易く、これとともに、突出部の振動により、突出部に吸着された水滴も下側に振り落とされ易くなる傘の水切り装置を提供することである。
【００１０】
また、本発明の他の目的は、突出部には無数の突起が形成され、突起には突起よりも小さな無数の補助突起が形成されることにより、濡れ傘の水滴をスムーズに吸着し、これとともに、無数の突起と無数の補助突起との相互支持により、脱水空間に向かって突出した突出部の形状がよく保持される傘の水切り装置を提供することである。
【００１１】
また、本発明の他の目的は、脱水空間を上広下狭の形状に形成することにより、濡れ傘と着脱パッドとの接触面積が広くなるとともに、濡れ傘が通過し易い傘の水切り装置を提供することである。
【００１２】
また、本発明の他の目的は、ガイド部材を備えることにより、傘の水切り装置の前後で多量の水滴が落下する問題を解消する傘の水切り装置を提供することである。
【００１３】
また、本発明の他の目的は、突出部の内部に補強部材を備えることにより、突出部の弾性を保持し続けて水滴を効率よく取り除ける傘の水切り装置を提供することである。
【課題を解決するための手段】
【００１４】
本発明の一例による傘の水切り装置は、濡れ傘に付着した水滴を集めて排水する傘の水切り装置であって、受け部と、前記受け部の上面に一定の間隔だけ離れるように配されたプレート状の第１脱水部及び第２脱水部と、前記第１脱水部及び第２脱水部の内面に取着される着脱パッドと、前記第１脱水部及び第２脱水部の内面にそれぞれ取着された着脱パッドの間に形成された脱水空間と、前記着脱パッドに上下方向に沿って前記脱水空間に向かって突出した複数の突出部と、を含み、前記突出部は、前記脱水空間を通って移動する濡れ傘との摩擦を増加させ、前記突出部を通過しながら濡れ傘から発生する振動により、濡れ傘に付着した水滴が振り落とされ易く、これとともに、濡れ傘の通過後に、突出部の振動により、突出部に吸着された水滴が振り落とされ易くすることができる。
【００１５】
前記突出部は、前記着脱パッドから前記脱水空間に向かって進んでいて、折り曲げられて戻される二重に形成されてもよい。
【００１６】
前記着脱パッドと突出部とには無数の突起が前記脱水空間に向かって突設され、前記突起には前記突起よりも小さな無数の補助突起が前記脱水空間に向かって突設されることにより、前記濡れ傘の水滴と円滑に接触して濡れ傘から水滴をスムーズに吸着し、これとともに、前記無数の突起と無数の補助突起との相互支持により、前記脱水空間に向かって突出した前記突出部の形状をよく保持することができる。
【００１７】
前記脱水空間は、上広下狭の形状に形成されて濡れ傘と着脱パッドとの接触面積が広くなるとともに、濡れ傘を容易に通過させることができる。
【００１８】
前記第１脱水部及び第２脱水部の下部に連結されて前記脱水空間の下部を遮蔽する案内部材をさらに含んでいてもよい。
【００１９】
前記突出部は、下部に位置する下部突出部と、上部に位置する上部突出部とを含み、前記下部突出部は、鉛直方向に長尺状に形成され、前記上部突出部は、鉛直方向から傾くように形成され、向かい合う上部突出部は互いに交差するように形成されてもよい。
【００２０】
前記突出部の内部に挿入されて突出部の弾性力を増加させる補強部材をさらに含んでいてもよい。
【００２１】
前記補強部材は、シリコン、プラスチック、金属のいずれか一種から形成され、側面には凹凸部が上下方向に長尺状に形成されて、突出部の内部に染み込んだ水滴を流下させ易くすることができる。
【００２２】
前記突起及び補助突起は、ポリエステル（Ｐｏｌｙｅｓｔｅｒ）から作製されてもよい。
【発明の効果】
【００２３】
本発明によれば、着脱パッドに突出部を備えることにより、濡れ傘が振動しながら傘の水滴が振り落とされ易く、これとともに、突出部の振動により、突出部に吸着された水滴も下側に振り落とされ易くなる。
【００２４】
また、本発明によれば、突出部には無数の突起が形成され、突起には突起よりも小さな無数の補助突起が形成されることにより、濡れ傘の水滴をスムーズに吸着し、これとともに、無数の突起と無数の補助突起との相互支持により、脱水空間に向かって突出した突出部の形状をよく保持することができる。
【００２５】
また、本発明によれば、脱水空間を上広下狭の形状に形成することにより、濡れ傘と着脱パッドとの接触面積が広くなるとともに、濡れ傘を容易に通過させることができる。
【００２６】
また、本発明によれば、ガイド部材を備えることにより、傘の水切り装置の前後で多量の水滴が落下する問題を解消することができる。
【００２７】
また、本発明によれば、突出部の内部に補強部材を備えることにより、突出部の弾性を保持し続けて水滴を効率よく取り除くことができる。
【図面の簡単な説明】
【００２８】
【図１】本発明が適用された傘の水切り装置の斜視図である。
【図２】本発明が適用された傘の水切り装置の分離斜視図である。
【図３】本発明が適用された傘の水切り装置の正面構成図である。
【図４】本発明が適用された傘の水切り装置の側面構成図である。
【図５】本発明が適用された傘の水切り装置の平面構成図である。
【図６】本発明が適用された傘の水切り装置の側断面構成図である。
【図７】本発明の傘の水切り装置に水滴ガイド部材が適用されたことを示す分離斜視図である。
【図８】本発明が適用された傘の水切り装置の一例の補強部材を示す平断面構成図である。
【図９】本発明が適用された傘の水切り装置の他の例の補強部材を示す平断面構成図である。
【図１０】本発明が適用された傘の水切り装置の垂れ防止部を示す斜視図である。
【図１１】本発明が適用された傘の水切り装置の使用状態図である。
【発明を実施するための形態】
【００２９】
以下、本発明の一部の実施形態を例示的な図面を参照して詳細に説明する。各図面の成要素に参照符号を付加するにあたって、同一の構成要素に対しては、たとえ他の図面上に表示されても可能な限り同一の符号を付けるようにしている。また、本発明の実施形態を説明するにあたって、関連の公知構成または機能についての具体的な説明が本発明の実施形態に対する理解を阻害すると判断される場合には、その詳細な説明は省略する。
【００３０】
また、本発明の実施形態における構成要素の説明において、第１、第２、Ａ、Ｂ、（ａ）、（ｂ）等の用語を用いることができる。これらの用語は、その構成要素を他の構成要素と区別するためのものであり、その用語によって当該の構成要素の本質や順番又は順序等が限定されることはない。ある構成要素が他の構成要素に「連結」、「結合」又は「接続」されると記載されている場合、その構成要素はその他の構成要素に直接的に連結されたり接続されたりできるが、各構成要素の間に更なる構成要素が「連結」、「結合」又は「接続」されてもよい。
【００３１】
図１は、本発明が適用された傘の水切り装置の斜視図であり、図２は、本発明が適用された傘の水切り装置の分離斜視図であり、図３は、本発明が適用された傘の水切り装置の正面構成図であり、図４は、本発明が適用される傘の水切り装置の側面構成図であり、図５は、本発明が適用された傘の水切り装置の平面構成図であり、図６は、本発明が適用された傘の水切り装置の側断面構成図である。
【００３２】
本発明の一例による傘の水切り装置１００は、濡れ傘１０に付着した水滴を集めて排水するものであり、受け部１１０、第１脱水部１２０及び第２脱水部１２０’、着脱パッド１３０、突出部１４０を含んでいてもよい。
【００３３】
受け部１１０は、濡れ傘１０から落下する水滴を集めて排水し、第１脱水部１２０及び第２脱水部１２０’を支えて支持することができる。受け部１１０は、下部プレート１１１、上部プレート１１２、及び排水管１１３を含んでいてもよい。排水管１１３は弁を備えてもよい。弁を閉じて水滴を受け部１１０に一時貯留し、必要に応じて弁を開けて水滴を排水することができる。
【００３４】
下部プレート１１１は、板状に形成されてもよい。上部プレート１１２は、下部プレート１１１の上部に形成されて脱水部１２０，１２０’を支えて支持してもよい。上部プレート１１２と下部プレート１１１とは一定の間隔だけ離れて水滴が貯留される空間を形成してもよい。この離間部分には、周囲に沿って側面板が設けられてもよい。上部プレート１１２及び側面板は、下部プレート１１１から折り曲げられて形成されてもよい。
【００３５】
排水管１１３は、下部プレート１１１に貫設されたたホール（図示せず）に設けられて、濡れ傘１０から落下する水滴を排水することができる。前記ホール（図示せず）は、下部プレート１１１の中央または縁部に形成されてもよい。下部プレート１１１は、ホール（図示せず）の方向に所定の角度だけ傾くように形成されることにより、水滴の円滑な排水を図る。
【００３６】
下部プレート１１１の上側には、水気を吸収する素材から形成された所定の厚さのクッション部１１４が設けられてもよい。クッション部１１４は、濡れ傘１０から落下する水滴を一時吸収して水滴の過多排出を防止することができる。
【００３７】
下部プレート１１１の下側には、傘の水切り装置１００の移動便宜のためのキャスター１１５が設けられてもよい。
【００３８】
第１脱水部１２０及び第２脱水部１２０’は、上部プレート１１２に垂直に設けられてもよい。第１脱水部１２０及び第２脱水部１２０’の内面には着脱パッド１３０が取着されてもよい。着脱パッド１３０は、磁力により第１脱水部１２０及び第２脱水部１２０’に取着されてもよい。このために、着脱パッド１３０に磁石を取り付けるか、着脱パッド１３０の内部に磁石を埋め込むか、または着脱パッド１３０に磁性体物質を含んでもよい。
【００３９】
第１脱水部１２０と第２脱水部１２０’との間の下部には案内部材１２１が設けられてもよい。案内部材１２１は、脱水空間１３０’の下部を遮蔽することができる。案内部材１２１は、第１脱水部１２０の下部と第２脱水部１２０’の下部とを相互結合することができる。案内部材１２１が第１脱水部１２０及び第２脱水部１２０’の下部を遮蔽することにより、水滴の貯留空間をより大きく確保することができる。案内部材１２１の上部には、濡れ傘１０の移動を案内する凹溝が形成されてもよい。
【００４０】
図７に示すように、案内部材１２１に水滴ガイド部材１２２がさらに着脱可能に設けられてもよい。水滴ガイド部材１２２は、  脱水空間  １３０’に近づくかまたは  脱水空間１３０’から遠ざかる濡れ傘１０から落下する水滴を受け部１１０に案内することができる。
【００４１】
水滴ガイド部材１２２は、固定部１２２ａとガイド部１２２ｂとを含んでいてもよい。固定部１２２ａは、案内部材１２１の内側と外側とにそれぞれ緊密に密着する内側板と外側板とを含み、案内部材１２１に着脱可能に固定されてもよい。ガイド部１２２ｂは、固定部１２２ａから外側に向かって上方に傾斜するように延びており、傘の水切り装置に近づくかまたは遠ざかる傘１０から落下する水滴を受け部１１０に案内することができる。ガイド部１２２ｂは、Ｕ字状またはＶ字状に形成されてもよい。
【００４２】
水滴ガイド部材１２２は、不要時には傘の水切り装置から取り除いてもよく、または非使用時にはガイド部１２２ｂを引き出して傘の水切り装置の内側に向かうように配置することで簡単に保管しておいてもよい。
【００４３】
着脱パッド１３０は、第１脱水部１２０及び第２脱水部１２０’の内部に取着されて濡れ傘１０に付着した水滴を吸着する構成要素であって、織物などのように水を吸着できる素材から形成されてもよい。
【００４４】
第１脱水部１２０及び第２脱水部１２０’に取着された着脱パッド１３０の間に脱水空間１３０’が形成されてもよい。
【００４５】
脱水空間１３０’を通って濡れ傘１０が移動することができる。脱水空間１３０’は、上広下狭の形状に形成されてもよい。これにより、濡れ傘１０と着脱パッド１３０との接触面積が広くなって水滴を容易に取り除き、これとともに、濡れ傘１０を容易に通過させることができる。上部が広い脱水空間１３０’の場合、第１及び第２脱水部１２０，１２０’そのものを外側に向かって傾斜状に形成してもよく、または内部面を外側に向かって傾斜状に形成してもよい。
【００４６】
着脱パッド１３０は、第１及び第２脱水部１２０，１２０’の下部に取着される下部着脱パッド１３０ａと、上部に取着される上部着脱パッド１３０ｂとを含んでいてもよい。着脱パッド１３０は、前述の磁石のほかベルクロテープのような構成（図示せず）により第１脱水部１２０及び第２脱水部１２０’の内面に着脱可能に取着されてもよい。
【００４７】
下部着脱パッド１３０ａと上部着脱パッド１３０ｂは、第１及び第２脱水部１２０，１２０’に取り付けられる位置に応じて複数で着脱可能に取り付けられるものであり、第１及び第２脱水部１２０，１２０’の内面に着脱パッド１３０を複数に分割せずに一つにして取着することもできる。
【００４８】
突出部１４０は、脱水空間１３０’を通って移動する濡れ傘１０との摩擦を増加させるために着脱パッド１３０に複数突設されてもよい。濡れ傘１０が突出部１４０とぶつかりながら発生する振動により、水滴が濡れ傘１０から下側に振り落とされるか、または突出部１４０に容易に吸着するようになる。言い換えれば、突出部１４０は、通過する濡れ傘１０から水滴を吸着し、濡れ傘１０が通過することで発生する振動により、吸着した水滴を下側に容易に振り落すことができる。
【００４９】
突出部１４０は、着脱パッド１３０から脱水空間１３０’に向かって進んでいて、折り曲げられて戻される二重に形成されてもよい。この場合、着脱パッド１３０を折り曲げ縫製することにより容易に製造することができる。また、二重の構成により、適切な支持力を有することができ、突出部１４０が脱水空間１３０’に向かって突出した形状をよく保持することができる。したがって、突出部１４０は、濡れ傘１０と円滑に接触し、濡れ傘１０に振動を発生させて水滴を振り落とし易くすることができる。これとともに、濡れ傘１０が通過した後、突出部１４０自体も振動することにより、吸着した水滴を下側に振り落とす。これにより、相次いで通過する濡れ傘１０の水滴を容易に吸着除去することができるようになる。
【００５０】
着脱パッド１３０と突出部１４０とには無数の複数の突起１３１，１４１が脱水空間１３０’に向かって突設されてもよい。突起１３１，１４１の内部は、弾性空間が形成された中空構造であってもよい。この中空構造は、突起１３１，１４１の重量を減少させて弾性力を持たせ、自重による垂れを防止することができる。したがって、濡れ傘１０に円滑に接触して、濡れ傘１０に付着した水滴を効果的に除去することができる。
【００５１】
突起１３１，１４１には、小さく微細な無数の補助突起１３２，１４２が脱水空間１３０’に向かって突設されてもよい。無数の突起１３１，１４１と、突起１３１，１４１に形成された微細な無数の補助突起１３２，１４２との相互支持により、脱水空間１３０’に向かって突出した突出部１４０の形状をよく保持することができる。脱水空間１３０’に向かって突出した形状をよく保持した突出部１４０は、繰り返し通過する濡れ傘１０の水滴を容易に吸着除去することができる。
【００５２】
突起１３１，１４１及び補助突起１３２，１４２は、ポリエステル（Ｐｏｌｙｅｓｔｅｒ）から作製されてもよい。そして、前記着脱パッド１３０及び突出部１４０もまたポリエステルから作製されてもよい。前記ポリエステルは、水に濡れても強度が変わらなく、耐久性の良い素材なので、着脱パッド１３０及び突出部１４０の変形を防止することができ、これとともに、形状を保持することができる。
【００５３】
突出部１４０は、上下方向に長尺状に形成され、これとともに、向かい合う着脱パッド１３０に互いに対応するように位置するかまたは互い違いに位置してもよい。互いに対応するように位置するかまたは互い違いに位置する突出部１４０は、通過する濡れ傘１０を振動させることにより、濡れ傘１０に付着した水滴を吸着したり、下側に振り落としたりすることができる。また、突出部１４０は、濡れ傘１０の通過後に、それ自体が振動することにより、吸着した水滴を下側に振り落したり、流下させたりすることができる。
【００５４】
突出部１４０は、下部に位置する下部突出部と、上部に位置する上部突出部とを含んでいてもよい。下部突出部は、鉛直方向に長尺状に形成され、上部突出部は、鉛直方向から一定の角度だけ傾くように形成されてもよい。また、向かい合う傾斜した上部突出部は、互いに交差するように形成されてもよい。互いに交差するように形成された上部突出部は、前後に往復する濡れ傘１０との摩擦力を増加させて水滴を効果的に吸着したり振り落としたりすることができる。また、鉛直方向に形成された下部突出部は、吸着した水滴または上側から降りてきた水滴を下側に円滑に流下させることができる。
【００５５】
図８及び図９に示すように、前記突出部１４０の内部に、突出部１４０の弾性力を増加させる補強部材１４３をさらに備えてもよい。補強部材１４３は、シリコン、プラスチック、さびがつかない金属のいずれか一種から形成されてもよい。補強部材１４３は、側面に凹凸部が形成されて柔軟性と弾性力を有することにより、濡れ傘１０が通過する際に、柔軟に曲げられた後、弾力的に戻されて次の動作を待機することができる。
【００５６】
前記凹凸部は、凹部と凸部が繰り返し形成されて、突出部１４０の内部に染み込んだ水滴が受け部１１０に流下するように案内することができる。
【００５７】
図１０のように、着脱パッド１３０を支えて支持して着脱パッド１３０の垂れを防ぐ垂れ防止部１５０をさらに含んでいてもよい。垂れ防止部１５０は、支持体１５１、抜け止め支持部材１５２、及び押され防止支持部材１５３を含んでいてもよい。
【００５８】
支持体１５１は、着脱パッド１３０を支えて支持できるようにブロック状に形成されてもよい。
【００５９】
抜け止め支持部材１５２は、支持体１５１の一側面に傾斜して突設され、下部プレート１１１の上面に定着したクッション部１１４に打ち込まれて、支持体１５１が下部プレート１１１の中央部に移動して抜けてしまうことを効果的に防止することができる。
【００６０】
押され防止支持部材１５３は、抜け止め支持部材１５２と直交するように支持体１５１の一側面に傾斜して突設され、下部プレート１１１の上面に定着したクッション部１１４を加圧しながらクッション部１１４に打ち込まれて、支持体１５１が押されることを効果的に防止することができる。
【００６１】
以下では、傘の水切り装置１００の作製及び使用過程について説明する。
【００６２】
まず、一定の大きさのプレート状の下部プレート１１１の上部に上部プレート１１２を形成してもよい。前記上部プレート１１２は、下部プレート１１１を折り曲げて形成してもよい。下部プレート１１１に貫通したホールには排水管１１３が設けられてもよい。下部プレート１１１の底面にはキャスター１１５が設けられてもよい。下部プレート１１１上面にはクッション部１１４が設けられてもよい。
【００６３】
上部プレート１１２には、プレート状の第１脱水部１２０及び第２脱水部１２０’が固定されてもよい。第１脱水部１２０及び第２脱水部１２０’は、設計図面に基づいて上部プレート１１２の端部で折り曲げられて形成されてもよい。
【００６４】
第１脱水部１２０及び第２脱水部１２０’の下部には案内部材１２１を結合してもよい。案内部材１２１を、第１脱水部１２０、第２脱水部１２０’及び受け部１１０に連結することで、受け部１１０の内部に水滴を貯留する空間を形成することができる。
【００６５】
案内部材１２１には水滴ガイド部材１２２を選択的に設けてもよい。水滴ガイド部材１２２の固定部１２２ａの内側板と外側板とを、案内部材１２１の内側と外側とにそれぞれ面当接するように挟んで嵌合してもよい。ガイド部１２２ｂを、固定部１２２ａから外側に向かって上方に傾斜するように延設されてもよい。ガイド部１２２ｂは、脱水空間１３０’に近づくかまたは遠ざかる塗れ傘１０から落下する水滴を受け部１１０に案内することにより、室内の床に落下する水滴の量を最小限に抑えて床の汚れを減らすことができる。
【００６６】
脱水空間１３０’は、上広下狭の形状に形成されてもよい。したがって、この構造は、濡れ傘１０と着脱パッド１３０及び突出部１４０との接触面積を拡大して摩擦力を増大させることができる。これは、着脱パッド１３０が取り付けられた第１脱水部１２０及び第２脱水部１２０’を傾斜するように形成して脱水空間１３０’を傾斜するように形成することができるということを意味する。
【００６７】
着脱パッド１３０は、第１脱水部１２０及び第２脱水部１２０’の内面に取着部材（図示せず）により取着されてもよい。取着部材（図示せず）は、着脱パッド１３０に内蔵される磁石であってもよく、ベルクロテープであってもよい。磁石は、第１脱水部１２０及び第２脱水部１２０’に内蔵されてもよい。
【００６８】
突出部１４０の内部には、凹凸形状に形成された補強部材１４３が内蔵されてもよい。垂れ防止部１５０の支持体１５１を用いて着脱パッド１３０を支えて支持することができる。前記支持体１５１の底面をクッション部１１４に定着させ、また支持体１５１の上面を着脱パッド１３０底面に密着させることにより、着脱パッド１３０の垂れを防止し、これにより、本発明の傘の水切り装置１００の作製が完了する。
【００６９】
垂れ防止部１５０の支持体１５１を着脱パッド１３０底面に位置させた状態で第１脱水部１２０及び第２脱水部１２０’の両側、すなわち、案内部材１２１の方向に押して移動させると、前記支持体１５１の一側面に傾斜して突設された抜け止め支持部材１５２は、クッション部１１４に打ち込まれて固定されて、前記支持体１５１が下部プレート１１１の中央部に移動して抜けてしまうことを効果的に防止することができ、また、前記抜け止め支持部材１５２と直交するように前記支持体１５１の一側面に傾斜して突設された押され防止支持部材１５３は、クッション部１４０に打ち込まれて固定されて、支持体１５１が押されることを効果的に防止することができる。
【００７０】
上記過程を経て作製された傘の水切り装置１００を、雨天時に建物の出入口に配置した状態で、図１１のように、水滴が付着した濡れ傘１０を脱水空間１３０’を通って移動させたり数回往復させたりすることができる。
【００７１】
濡れ傘１０が脱水空間１３０’の先端部に突出した水滴ガイド部材１２２のガイド部１２２ｂの上部に移動するに伴い、濡れ傘１０から落下する水滴がガイド部１２２ｂに沿って受け部１１０の空間に導かれるので、濡れ傘１０から室内の床に落下する水滴の量を大幅に減らすことができ、その結果、床の汚染度を低減させることができる。
【００７２】
前記水滴ガイド部１２２を通過して脱水空間１３０’に移動した濡れ傘１０を、脱水空間１３０’の一方の側から他方の側にまたはその逆方向に繰り返し移動させるが、この場合、前記濡れ傘１０を回転させて移動させることもできる。
【００７３】
前記脱水空間１３０’は、上広下狭の形状に形成されているので、脱水空間１３０’を通って移動する濡れ傘１０の外部と、第１脱水部１２０及び第２脱水部１２０’に付着した着脱パッド１３０の複数の突起１３１との接触面積を最大限に拡大することができ、前記濡れ傘１０が複数の突起１３１に順次接触しながら移動することができる。
【００７４】
前記濡れ傘１０は、脱水空間１３０’の一方の側から他方の側にまたはその逆方向に移動する過程において、着脱パッド１３０の複数の突起１３１と順次接触しながら発生する摩擦力及び弾性力等により水滴が濡れ傘１０の外面から離脱して下部プレート１１１の方向に振り落とされる。
【００７５】
また、前記濡れ傘１０は、前記脱水空間１３０’の一方の側から他方の側にまたはその逆方向に移動する過程において、前記着脱パッド１３０に互いに対応するようにまたは互い違いに位置し、傾斜してまたは鉛直方向に形成された突出部１４０を通過する。この場合、前記突出部１４０が突出した領域と突出部１４０が突出していない領域とを移動する過程において、濡れ傘１０に加えられる力の違いにより、濡れ傘１０が突出部１４０を通過しながら振動が発生し、この振動により水滴が濡れ傘１０の外面から離脱して円滑に振り落とされる。
【００７６】
前記突出部１４０が位置している領域及び突出部１４０が位置していない領域を、すなわち、着脱パッド１３０の間を順次繰り返し移動するので、濡れ傘１０に付着している水滴を効果的に脱水させて水滴の脱水効率を向上させることができる。このとき、前記突出部１４０に突設された複数の突起１４１と接触しながら発生する摩擦力及び弾性力等により、水滴が傘１０の外面から離脱して下部プレート１１１の方向に振り落とされる。
【００７７】
前記突出部１４０には、凹凸形状の補強部材１４３が内蔵されているので、濡れ傘１０が  脱水空間１３０’を通って移動しながら突出部１４０を加圧すると、前記突出部１４０が柔軟に曲げられ、その後、濡れ傘１０が前記突出部１４０を通過して濡れ傘１０の前記突出部１４０への加圧力が解除されると、前記補強部材１４３自体の弾力により戻されて次の動作を待機することになる。
【００７８】
また、濡れ傘１０から離脱した水滴のうち、一部の水滴は受け部１１０に落下して貯留される一方、他の一部の水滴は突出部１４０に含まれる。前記突出部１４０が含む水滴の一部は、突出部１４０内部の補強部材１４３の凹凸部に流れ下りながら受け部１１０に落下することになる。
【００７９】
ここで、前記着脱パッド１３０の複数の突起１３１及び突出部１４１の複数の突起１４１には前記突起１３１，１４１よりも小さな無数の補助突起１３２，１４２が突設されて、濡れ傘１０の水滴と円滑に接触することができ、これにより水滴が濡れ傘１０から円滑に振り落とされることができ、これとともに、無数の突起１３１，１４１と無数の補助突起１３２，１４２との相互支持により、脱水空間１３０’に向かって突出した突出部１４１の形状をよく保持することができる。
【００８０】
前記下部プレート１１１の方向に落下して受け部１１０の空間に貯留された水滴は、バルブの開放により排水管１１３を介して排出される。一方、前記バルブを有さない場合は、前記空間に落下する水滴が排水管１１３を介して排出されるが、この際、前記排水管１１３が設けられた下部プレート１１１の上面、すなわち、床面を、水滴が排水管１１３に流れていくように傾斜状に形成することで、排水を円滑に導くことができる。
【００８１】
前記傘の水切り装置１００では、着脱パッド１３０に対する水滴の付着度合いに応じて交換使用が可能であり、前記傘の水切り装置１００を使用し終わると、前記着脱パッド１３０を、必要に応じて第１脱水部１２０及び第２脱水部１２０’から取り外して乾燥させ、再び取り付け及び保管しておくことができる。
【００８２】
また、前記水滴ガイド部材１２２は、不要時に、前記案内部材１２１から引き出して別のところに保管しておいてもよく、水滴ガイド部材１２２のガイド部１２２ｂが  脱水空間１３０’に位置するように固定部１２２ａを案内部材１２１に装着して保管しておき、次の動作を待機していてもよい。
【００８３】
以上において、本発明の実施例を構成する全ての構成要素が、一つに結合するか結合して動作するものと説明されたからといって、本発明が必ずしもこのような実施例に限定されるものではない。すなわち、本発明の目的の範囲内であれば、その全ての構成要素が一つ以上で選択的に結合して動作することもできる。また、以上で記載した「含む」、「構成する」または「有する」等の用語は、特別に反対になる記載がない限り、該当構成要素が内在し得ることを意味するものであるため、他の構成要素を除外するものではなく、他の構成要素をさらに含むことができるものと解釈されるべきである。技術的や科学的な用語を含む全ての用語は、別に定義されない限り、本発明が属する技術分野における通常の知識を有する者によって一般的に理解されるものと同一の意味がある。辞書に定義された用語のように一般的に使用される用語は、関連技術の文脈上の意味と一致するものと解釈されるべきであり、本発明で明白に定義しない限り、理想的や過度に形式的な意味に解釈されない。
【００８４】
以上の説明は、本発明の技術思想を例示的に説明したものに過ぎないものであって、本発明の属する技術の分野における通常の知識を有する者であれば、本発明の本質的な特性を外れない範囲内で様々な修正、変更、および置換が可能であるだろう。したがって、本発明に開示された実施例は、本発明の技術思想を限定するためのものではなく、説明するためのものであり、このような実施例によって本発明の技術思想の範囲が限定されるものではない。本発明の保護範囲は、請求の範囲によって解釈されなければならず、それと同等な範囲内にある全ての技術思想は、本発明の権利範囲に含まれると解釈されなければならない。
【符号の説明】
【００８５】
１００              傘の水切り装置
１１０              受け部
１２０，１２０’    第１脱水部及び第２脱水部
１３０              着脱パッド
１３０’            脱水空間
１４０              突出部
【図１】
2021532324.tif 000003
【図２】
2021532324.tif 000004
【図３】
2021532324.tif 000005
【図４】
2021532324.tif 000006
【図５】
2021532324.tif 000007
【図６】
2021532324.tif 000008
【図７】
2021532324.tif 000009
【図８】
2021532324.tif 000010
【図９】
2021532324.tif 000011
【図１０】
2021532324.tif 000012
【図１１】
2021532324.tif 000013
【国際調査報告】
2021532324.tif 000014
2021532324.tif 000015
2021532324.tif 000016
2021532324.tif 000017